(57)【要約】【課題】  給水管と給湯管とを止水状態において互いに連通させることがなく、しかも、吐水する湯水の温度が設定温度から変動しにくい温度自動調節式湯水混合栓を提供する。【解決手段】  流量調節ユニット１８は、流量調節ハンドル１５による設定に基づき、１次側水路２０から２次側水路２２へ供給される水の流量と、１次側湯路２１から２次側湯路２３へ供給される湯の流量とを同時に調節するとともに水及び湯の供給停止を行う。温度調節弁ユニット１９は、２次側水路２２から供給される水と、２次側湯路２３から供給される湯とを混合させ、混合された湯水の温度と、温度調節ハンドル１６による設定とに基づき、混合させる水と湯の割合を自動調節する。温度調節弁ユニット１９は、形状記憶合金よりなるとともに弁体４２を湯側弁座側に付勢する感温ばね４６と、弁体４２を水側弁座側に付勢するバイアスばね４７，４８とを備えている。【選択図】      図２
2006329304.tif 000002
【特許請求の範囲】
【請求項１】
流量調節ハンドルによる流量設定に応じて、外部から供給される水及び湯の各流量を同時に調節してそれぞれ供給可能とされるとともにその両方の供給を停止可能とされた流量調節手段と、
同流量調節手段から供給される水と湯とを混合させ、その混合された湯水の温度と、温度調節ハンドルによる温度設定とに応じて、混合させる水と湯との割合を自動調節し、混合された湯水の温度を温度調節ハンドルによる設定温度に調節して供給する温度調節手段とを備え、
前記温度調節手段は、弁胴内に設けられた水側弁座及び湯側弁座と、弁胴内においてその軸線方向へ変位可能に保持されるとともに前記各弁座に接離可能な弁体と、同弁体を湯側弁座と接近する向きに付勢する形状記憶材料よりなる感温ばねと、同弁体を水側弁座と接近する向きに付勢するバイアスばねと、同感温ばね又は同バイアスばねを介して前記弁体を変位させて吐水温度を設定する吐水温度設定手段とからなることを特徴とする自動温度調節式の湯水混合栓。
【請求項２】
前記流量調節手段は、水栓本体内の孔部内において回動不能に配置される円筒状の外側ケース体と、同外側ケース体内において回動可能な状態で配置される円筒状の内側ケース体とを備え、
同内側ケース体は、その一端が閉塞され、他端が開口されるとともに、その軸線方向において内部が同じく一端側と他端側とに区画され、
前記外側ケース体の周壁には、１次側水路に連通される第１開口、２次側水路に連通される第２開口、及び、１次側湯路に連通される第３開口が設けられ、
前記内側ケース体の一端側における周壁には、前記第１開口と連通可能にした水入口、及び、前記第２開口と連通可能にした水出口が設けられ、
同内側ケース体の他端側における周壁には、前記第３開口と連通可能にした湯入口が設けられ、
同内側ケース体の他端側開口は、前記湯入口と連通する湯出口とされ、
同内側ケース体は、前記流量調節ハンドルによる流量調節のために回動され、前記第１開口に対する前記水入口の連通が遮断されたときには、前記第３開口に対する前記湯入口の連通が遮断されることにより水及び湯の供給を共に停止し、前記第１開口に対して前記水入口を連通させたときには、前記第３開口に対して前記湯入口を連通させることにより水及び湯を共に供給するように構成されていることを特徴とする請求項１に記載の自動温度調節式の湯水混合栓。
【請求項３】
流量調節ハンドルによる流量設定に応じて、外部から供給される水又は湯の流量を調節して供給可能とされるとともにその供給を停止可能とされた流量調節手段と、
同流量調節手段から供給される水又は湯と、外部から供給される湯又は水とを混合させ、その混合された湯水の温度と、温度調節ハンドルによる温度設定とに応じて、混合させる水と湯との割合を自動調節し、混合された湯水の温度を温度調節ハンドルによる設定温度に調節して供給する温度調節手段とを備え、
前記流量調節手段は、前記流量調節ハンドルによる流量設定に応じて、前記温度調節手段から供給される湯水の流量を、外部から供給される水又は湯の流量とともに同時に調節してそれぞれ供給可能とされるとともに両方の供給を停止可能とされ、
前記温度調節手段は、弁胴内に設けられた水側弁座及び湯側弁座と、同弁胴内においてその軸線方向へ変位可能に保持されるとともに各弁座に接続可能な弁体と、同弁体を湯側弁座と接近する向きに付勢する形状記憶材料よりなる感温ばねと、同弁体を水側弁座と接近する向きに付勢するバイアスばねと、同感温ばね又は同バイアスばねを介して前記弁体を変位させて吐水温度を設定する吐水温度設定手段とからなることを特徴とする自動温度調節式の湯水混合栓。
【請求項４】
前記流量調節手段は、前記流量調節ハンドルによる設定に基づき、前記温度調節手段から供給する湯水の供給先を、スパウト側又はシャワーヘッド側に切り替えることを特徴とする請求項３に記載の自動温度調節式の湯水混合栓。
【請求項５】
水を供給するための水側クランク管、及び、湯を供給するための湯側クランク管にそれぞれ接続される横長の水栓本体を備え、
前記流量調節ハンドル及び温度調節ハンドルは、前記水栓本体の両端部に設けられるとともにその各回動軸線が同一軸線上に配置されていることを特徴とする請求項１〜請求項４のいずれか一項に記載の自動温度調節式の湯水混合栓。
【発明の詳細な説明】
【技術分野】
【０００１】
この発明は、自動温度調節式の湯水混合栓に関するものである。
【背景技術】
【０００２】
従来、この種の湯水混合栓としては、例えば特許文献１，２に記載されたものがある。
特許文献１に記載の混合栓は、図２１に示すように構成されている。この混合栓において止水状態から吐水状態に切り替えられるときには、図示しない流量・止水ハンドルの操作に基づいて流量調節・止水用弁体１００及び温度調節用弁体１０１が共に感温媒体（ワックスサーモ弁）１０２とは反対側（図２１において右向き）に移動され、湯側ポート１０３及び水側ポート１０４が共に閉じた状態から開口される。すると、湯側ポート１０３及び水側ポート１０４から作動室１０５に湯及び水がそれぞれ入り、作動室１０５内で両者が混合されて湯水となる。混合された湯水は、作動室１０５から流通室１０６に流れ、流通室１０６から図示しないスパウト又はシャワーヘッドに供給される。このとき、作動室１０５内の湯水の温度に応じて感温媒体１０２が伸縮し、温度調節用弁体１０１を変位させる。感温媒体１０２は、例えば別の混合栓で湯が使用されたことにより、この混合栓に供給される湯量が減少したときに、作動室１０５の湯水の温度低下に応じて縮み、温度調節用弁体１０１を感温媒体１０２側に変位させる。これにより、水側ポート１０４から作動室１０５に流入する水の流量が減少し、作動室１０５内の湯水の温度低下が抑制される。
【０００３】
反対に、吐水状態から止水状態に切り替えられるときには、流量・止水ハンドルの操作に基づいて流量調節・止水用弁体１００及び温度調節用弁体１０１が共に感温媒体１０２側に移動され、湯側ポート１０３及び水側ポート１０４が共に閉じられる。すると、湯側ポート１０３及び水側ポート１０４から作動室１０５への湯及び水の流入が止まる。このとき、流量調節・止水用弁体１００及び温度調節用弁体１０１が共に感温媒体１０２側に移動されることから、感温媒体１０２が強制的に縮められる。従って、この混合栓においては、湯と水とを混合させる割合の調節が、ワックスサーモ弁からなる感温媒体１０２によって行われる。また、この混合栓においては、給水管から供給された水と給湯管から供給された湯とが作動室１０５で混合される前に別々に止められるようになっている。
【０００４】
また、特許文献２に記載の混合栓においては、給水管から供給される水と給湯管から供給される湯とが、先ず、上流側の温調モジュールにおいて混合され、温調モジュールにおいて温度調節された湯水が、下流側の制御弁モジュールに供給される。温調モジュールでは、形状記憶合金からなる感温ばねと、この感温ばねに対向するように配置されたバイアスばねとの均衡によって湯水の温度が調節される。制御弁モジュールでは、温調モジュールから供給された湯水の吐水先がスパウト又はシャワーヘッドのいずれかに切り替えられるとともにその吐水流量が調節される。従って、この混合栓では、温調モジュールにおいて混合された湯水が、制御弁モジュールにより止水される。
【特許文献１】特公昭６１−４９５４５号公報
【特許文献２】特開２０００−３５５９６３号公報
【発明の開示】
【発明が解決しようとする課題】
【０００５】
ところで、上記特許文献１の混合栓において用いられているワックスサーモ弁は、特許文献２の混合栓で用いられている形状記憶合金製の感温ばねに比較して、温度変化に対する応答性が劣る。このため、例えば、混合栓に供給される湯量が減少して作動室１０５内の湯水の温度が減少しても感温媒体１０２が即座に縮まず、作動室１０５に流入する水の流量を即座に減少させることができない。このため、外部に吐水される湯水の温度が設定温度から一時的に低下し易かった。
【０００６】
また、特許文献２の混合栓においては、温調モジュールにおいて混合された湯水が制御弁モジュールによって止水される。このため、止水状態において、給水管と給湯管とが混合栓を介して接続された状態となる。この結果、給水管における水の圧力が給湯管における湯の圧力よりも高い場合に、給水管から混合栓を介して給湯管に水が逆流し、給湯管が接続されている給湯機に異常に高い圧力が加わる虞がある。一方、特許文献１の混合栓における止水は、給水管から供給される水と、給湯管から供給される湯とが、混合される前に別々に止められることにより行われる。このため、止水状態においても、給水管と給湯管とが接続された状態とならず、給水管から給湯管側に水が逆流することはない。
【０００７】
そこで、これら両方の課題を解決するために、特許文献１の混合栓において、ワックスサーモ弁に代えて形状記憶合金製の感温ばねを用いることが考えられる。しかしながら、特許文献１の混合栓では、止水・吐水の切替毎に、流量・止水ハンドルの操作により流量調節・止水用弁体１００及び温度調節用弁体１０１が移動されるとともに感温ばねが強制的に伸縮されることになる。ところが、形状記憶合金製の感温ばねは、繰り返し伸縮に伴う耐久性が劣ることが知られている。特に、吐水させる湯水の温度が高温側に設定されているときには、感温ばねがより圧縮された状態となっているので、止水時にはより大きな荷重が感温ばねに加わることになり、その寿命が短くなる虞がある。
【０００８】
この発明は、このような従来の技術に存在する問題点に着目してなされたものである。その目的とするところは、混合栓に接続される給水管と給湯管とを止水状態において互いに連通させることがなく、しかも、吐水する湯水の温度が設定温度から変動しにくいとともに耐久性に優れた温度自動調節式の湯水混合栓を提供することにある。
【課題を解決するための手段】
【０００９】
上記の目的を達成するために、請求項１に記載の発明は、流量調節ハンドルによる流量設定に応じて、外部から供給される水及び湯の各流量を同時に調節してそれぞれ供給可能とされるとともにその両方の供給を停止可能とされた流量調節手段と、同流量調節手段から供給される水と湯とを混合させ、その混合された湯水の温度と、温度調節ハンドルによる温度設定とに応じて、混合させる水と湯との割合を自動調節し、混合された湯水の温度を温度調節ハンドルによる設定温度に調節して供給する温度調節手段とからなり、前記温度調節手段は、弁胴内に設けられた水側弁座及び湯側弁座と、弁胴内においてその軸線方向へ変位可能に保持されるとともに前記各弁座に接離可能な弁体と、同弁体を湯側弁座と接近する向きに付勢する形状記憶材料よりなる感温ばねと、同弁体を水側弁座と接近する向きに付勢するバイアスばねと、同感温ばね又は同バイアスばねを介して前記弁体を変位させて吐水温度を設定する吐水温度設定手段とからなることを特徴とする。
【００１０】
請求項２に記載の発明は、請求項１に記載の発明に加えて、前記流量調節手段は、水栓本体内の孔部内において回動不能に配置される円筒状の外側ケース体と、同外側ケース体内において回動可能な状態で配置される円筒状の内側ケース体とを備え、同内側ケース体は、その一端が閉塞され、他端が開口されるとともに、その軸線方向において内部が同じく一端側と他端側とに区画され、前記外側ケース体の周壁には、１次側水路に連通される第１開口、２次側水路に連通される第２開口、及び、１次側湯路に連通される第３開口が設けられ、前記内側ケース体の一端側における周壁には、前記第１開口と連通可能にした水入口、及び、前記第２開口と連通可能にした水出口が設けられ、同内側ケース体の他端側における周壁には、前記第３開口と連通可能にした湯入口が設けられ、同内側ケース体の他端側開口は、前記湯入口と連通する湯出口とされ、同内側ケース体は、前記流量調節ハンドルによる流量調節のために回動され、前記第１開口に対する前記水入口の連通が遮断されたときには、前記第３開口に対する前記湯入口の連通が遮断されることにより水及び湯の供給を共に停止し、前記第１開口に対して前記水入口を連通させたときには、前記第３開口に対して前記湯入口を連通させることにより水及び湯を共に供給するように構成されていることを特徴とする。
【００１１】
請求項３に記載の発明は、流量調節ハンドルによる流量設定に応じて、外部から供給される水又は湯の流量を調節して供給可能とされるとともにその供給を停止可能とされた流量調節手段と、同流量調節手段から供給される水又は湯と、外部から供給される湯又は水とを混合させ、その混合された湯水の温度と、温度調節ハンドルによる温度設定とに応じて、混合させる水と湯との割合を自動調節し、混合された湯水の温度を温度調節ハンドルによる設定温度に調節して供給する温度調節手段とからなり、前記流量調節手段は、前記流量調節ハンドルによる流量設定に応じて、前記温度調節手段から供給される湯水の流量を、外部から供給される水又は湯の流量とともに同時に調節してそれぞれ供給可能とされるとともに両方の供給を停止可能とされ、前記温度調節手段は、弁胴内に設けられた水側弁座及び湯側弁座と、同弁胴内においてその軸線方向へ変位可能に保持されるとともに各弁座に接続可能な弁体と、同弁体を湯側弁座と接近する向きに付勢する形状記憶材料よりなる感温ばねと、同弁体を水側弁座と接近する向きに付勢するバイアスばねと、同感温ばね又は同バイアスばねを介して前記弁体を変位させて吐水温度を設定する吐水温度設定手段とからなることを特徴とする。
【００１２】
請求項４に記載の発明は、請求項３に記載の発明に加えて、前記流量調節手段は、前記流量調節ハンドルによる設定に基づき、前記温度調節手段から供給する湯水の供給先を、スパウト側又はシャワーヘッド側に切り替えることを特徴とする。
【００１３】
請求項５に記載の発明は、請求項１〜請求項４のいずれか一項に記載の発明に加えて、水を供給するための水側クランク管、及び、湯を供給するための湯側クランク管にそれぞれ接続される横長の水栓本体を備え、前記流量調節ハンドル及び温度調節ハンドルは、前記水栓本体の両端部に設けられるとともにその各回動軸線が同一軸線上に配置されていることを特徴とする。
【００１４】
（作用）
請求項１，２に記載の発明においては、外部から混合栓に供給された水と湯とは、先ず、流量調節手段により、その各流量が同時に調節されるとともに両方の供給が停止される。そして、流量調節手段により流量が調節された水と湯とが温度調節手段において混合される。従って、止水状態において、外部からの水路及び湯路が混合栓を介して接続されることがない。また、温度調節手段に導入された水と湯とは、形状記憶合金からなるとともに混合された湯水の温度に応じて動作する感温ばねの動作に基づいてその割合が自動調節される。従って、混合栓での吐水中に、外部から供給される水又は湯の流量が変動したときに、ワックスサーモ弁を用いた構成に比較して、混合された湯水の温度の変動がより迅速に抑制される。さらに、湯水の止水・吐水の切替を行う流量調節手段と、湯水の温度調節を行う温度調節手段とが別々となっているので、吐水・吐水の切替時に、感温ばねが強制的に伸縮されることがない。このため、感温ばねの耐久性低下が抑制される。
【００１５】
請求項３に記載の発明においては、外部から混合栓に供給された水又は湯は、先ず、流量調節手段により、その流量が調節されるとともに供給が停止される。そして、流量調節手段により流量が調節された水又は湯と、外部から供給された湯又は水とが温度設定手段において混合される。さらに、温度設定手段により混合された湯水は、流量調節手段によりその流量が調節されるとともにスパウト及びシャワーヘッドへの供給が停止される。従って、流量調節手段による止水状態においては、外部から混合栓に接続された給水管と給湯管との連通が遮断される。また、温度調節手段に導入された水と湯とは、形状記憶合金からなるとともに混合された湯水の温度に応じて動作する感温ばねの動作に基づいてその割合が自動調節される。従って、混合栓での吐水中に、外部から供給される水又は湯の流量が変動したときに、ワックスサーモ弁を用いた構成に比較して、混合された湯水の温度の変動がより迅速に抑制される。さらに、湯水の止水・吐水の切替を行う流量調節手段と、湯水の温度調節を行う温度調節手段とが別々となっているので、吐水・吐水の切替時に、感温ばねが強制的に伸縮されることがない。このため、感温ばねの耐久性低下が抑制される。
【００１６】
請求項４に記載の発明においては、混合栓から吐水する湯水の流量を調節するための流量調節ハンドルに対する操作により、湯水を吐水させる先をスパウト又はシャワーヘッドで切り替えることができる。従って、ユーザによる使い勝手が向上する。
【００１７】
請求項５に記載の発明においては、水栓全体が小型となる。
【発明の効果】
【００１８】
この発明によれば、混合栓に接続される給水管と給湯管とを止水状態において分断することができるので、給水管と給湯管とを止水状態において互いに連通させないようにすることができる。また、混合された湯水の温度に応じて形状記憶合金からなる感温ばねを動作させ、この動作によって湯と水とを混合させる割合を調節して湯水を設定温度に維持するので、外部から混合栓に供給される水又は湯の流量が変動しても、吐水する湯水の温度が設定温度から変動しにくい。さらに、止水・吐水の切替時に感温ばねが強制的に伸縮されないので、形状記憶合金製の感温ばねの耐久性低下が抑制される。
【発明を実施するための最良の形態】
【００１９】
（第１実施形態）
次に、この発明を具体化した第１実施形態を図１〜図１１に従って説明する。
図１に示すように、この実施形態の自動温度調節式の湯水混合栓（以下、単に混合栓という）１０は、水側クランク管１１Ｒ及び湯側クランク管１１Ｌを介して浴室の壁面等に設置される。混合栓１０には、図示しない給水管から水側クランク管１１Ｒを介して水が供給されるとともに、図示しない給湯管から湯側クランク管１１Ｌを介して湯が供給される。そして、混合栓１０は、供給された水と湯とを混合して湯水を生成し、スパウト１２またはシャワーヘッド１３からその湯水を浴室に供給する。
【００２０】
図１、図２及び図３に示すように、混合栓１０は、両クランク管１１Ｒ，１１Ｌがそれぞれ接続されるとともに両クランク管１１Ｒ，１１Ｌに支持される横長の水栓本体１４を備えている。この水栓本体１４の長手方向右端には、流量設定のために回動操作される流量調節ハンドル１５が設けられ、同じく左端には温度設定のために回動操作される温度調節ハンドル１６が設けられている。流量調節ハンドル１５と温度調節ハンドル１６の各回動軸線は、同一軸線上に配置されている。また、水栓本体１４の前側中央には、湯水を供給する側をスパウト１２とシャワーヘッド１３とのいずれかに切り替えるための切替ハンドル１７が設けられている。
【００２１】
図２及び図３に示すように、水栓本体１４の内部における右部分には、前記流量調節ハンドル１５による流量設定に基づき、スパウト１２又はシャワーヘッド１３から供給する湯水の流量の調節と、湯水の供給又は供給停止とを行う流量調節手段としての流量調節ユニット１８が設けられている。流量調節ユニット１８は、水栓本体１４の内部においてその軸線方向に延びるとともにその右端に開口する円柱状の孔部内に装着されている。また、水栓本体１４の内部における左部分には、前記温度調節ハンドル１６による温度設定に基づき、スパウト１２又はシャワーヘッド１３から供給する湯水の温度を調節するための温度調節手段としての温度調節弁ユニット１９が設けられている。温度調節弁ユニット１９は、水栓本体１４の軸線方向に延びるとともにその左端に開口する円柱状の孔部内に装着されている。
【００２２】
また、図２及び図３に示すように、水栓本体１４の内部には、水側クランク管１１Ｒから延びる１次側水路２０と、湯側クランク管１１Ｌから延びる１次側湯路２１とが設けられている。また、水栓本体１４の内部には、流量調節ユニット１８側から前記温度調節弁ユニット１９側に延びる２次側水路２２及び２次側湯路２３がそれぞれ設けられている。
【００２３】
次に、前記流量調節ユニット１８について説明する。
図４及び図５に示すように、流量調節ユニット１８は、略円筒状の第１ケース体２４、この第１ケース体２４の端部に螺合により結合される略円環状の第２ケース体２５、及び、結合された第１ケース体２４及び第２ケース体２５内に回動可能な状態で保持される栓棒２６を備えている。栓棒２６は、第１ケース体２４の内側に配置される略円筒状の弁筒部２７と、この弁筒部２７の一端を閉塞する状態で弁筒部２７に一体化されるとともに第２ケース体２５に挿通される軸部２８とを備えている。流量調節ユニット１８は、水栓本体１４の右側孔部の開口部内周縁に螺合する締め付けナット２９により、水栓本体１４の孔内において軸線方向及び回動方向に固定されている。軸部２８は、締め付けナット２９を挿通して水栓本体１４の右端から外部に延出され、その端部には前記流量調節ハンドル１５が取着されている。従って、流量調節ユニット１８においては、流量調節ハンドル１５に対する回動操作に基づき、第１ケース体２４及び第２ケース体２５に対して栓棒２６が相対回動する。
【００２４】
図５及び図６に示すように、第１ケース体２４の周壁には、前記１次側水路２０に連通可能にした第１開口２４ａ、前記２次側水路２２に連通可能にした第２開口２４ｂ、及び、前記１次側湯路２１に連通可能にした第３開口２４ｃがそれぞれ設けられている。図４、図５及び図６に示すように、栓棒２６における弁筒部２７の内部は、その軸線方向において２つの領域に区画され、その軸部２８側の領域における弁筒部２７の周壁には、第１ケース体２４の第１開口２４ａに連通可能にした水入口２７ａと、同じく第２開口２４ｂに連通可能にした水出口２７ｂとが設けられている。また、軸部２８とは反対側の領域における弁筒部２７の周壁には、前記第３開口２４ｃに連通可能にした湯入口２７ｃが設けられている。また、弁筒部２７の内部における軸部２８と反対側の領域は、弁筒部２７の端部に開口された湯出口２７ｄを通じて前記２次側湯路２３に常時連通されている。
【００２５】
図４、図５及び図６に示すように、第１ケース体２４の第１開口２４ａと栓棒２６の水入口２７ａとは、第１ケース体２４の内周面と栓棒２６の外周面との間に設けられた水側パッキン３０により水密状態で連通されている。また、第１ケース体２４の第３開口２４ｃと栓棒２６の湯入口２７ｃとは、同じく湯側パッキン３１により水密状態で連通されている。
【００２６】
そして、図７に示すように、流量調節ハンドル１５の回動操作により、第１ケース体２４及び第２ケース体２５に対する栓棒２６の回動方向における位置が調節され、栓棒２６（弁筒部２７）の水入口２７ａと第１ケース体２４の第１開口２４ａとの連通が遮断される。このとき、栓棒２６の湯入口２７ｃと第１ケース体２４の第３開口２４ｃとの連通も遮断される。従って、１次側水路２０と２次側水路２２との連通が遮断されるときには、１次側湯路２１と２次側湯路２３との連通も遮断される。
【００２７】
また、図８に示すように、流量調節ハンドル１５の回動操作により、第１ケース体２４及び第２ケース体２５に対する栓棒２６の回動方向における位置が調節され、栓棒２６の水入口２７ａと第１ケース体２４の第１開口２４ａとが最大の流路断面積で連通される。このとき、栓棒２６の湯入口２７ｃと第１ケース体２４の第３開口２４ｃとが最大の流路断面積で連通される。従って、１次側水路２０と２次側水路２２とが最大の流路断面積で連通されるときには、１次側湯路２１と２次側湯路２３とが最大の流路断面積で連通される。
【００２８】
さらに、第１ケース体２４及び第２ケース体２５に対する栓棒２６の回動方向における位置が調節されることにより、１次側水路２０と２次側水路２２とを連通する流路の断面積と、１次側湯路２１と２次側湯路２３とを連通する流路の断面積とが同時に調節される。
【００２９】
次に、前記温度調節弁ユニット１９について説明する。
図９、図１０及び図１１に示すように、温度調節弁ユニット１９は、略円筒状の第１弁胴３２、及び、第１弁胴３２の端部に螺合により結合される略円筒状の第２弁胴３３を備えている。温度調節弁ユニット１９は、水栓本体１４の孔部の内周縁部に螺合する締め付けナット３４（図２及び図３に図示）により、水栓本体１４の孔部内において軸線方向及び回動方向に固定されている。この実施形態では、第１弁胴３２及び第２弁胴３３が弁胴を構成する。
【００３０】
第１弁胴３２の周壁には、前記２次側水路２２に常時連通する水側ポート３５と、前記２次側湯路２３に常時連通する湯側ポート３６とが設けられている。また、第１弁胴３２の端部には、水栓本体１４内に設けられた混合流路３７（図２及び図３に図示）に常時連通する吐水口３８が設けられている。混合流路３７は、後述する吐水切替部を介してスパウト１２又はシャワーヘッド１３に連通される。
【００３１】
第１弁胴３２の内部には、前記水側ポート３５と近接対応する水側弁座３９が設けられている。また、第１弁胴３２及び第２弁胴３３の連結部分における内部には、水側弁座３９と対面する筒状部材４０が配置されている。筒状部材４０は、両弁胴３２，３３により軸線方向に挟持され、両弁胴３２，３３内に固定されている。筒状部材４０における第１弁胴３２側の端面には、前記湯側ポート３６と近接対応する湯側弁座４１が設けられている。
【００３２】
第１弁胴３２の内部における水側弁座３９と湯側弁座４１との間には、第１弁胴３２の内部を軸線方向において水側弁座３９側と湯側弁座４１側とに区画するとともにその軸線方向に移動可能な弁体４２が配設されている。弁体４２は、前記水側弁座３９又は湯側弁座４１に対して接離可能となっている。また、弁体４２には、その軸線方向に貫通する湯供給孔４３が設けられ、この湯供給孔４３により、第１弁胴３２の内部において水側弁座３９側と湯側弁座４１側とが常時連通されている。
【００３３】
第１弁胴３２の内部において弁体４２により区画された水側弁座３９側には、前記吐水口３８に連通する湯水混合室４４が設けられている。前記水側ポート３５は、弁体４２に設けられた複数の水供給口４５を介して湯水混合室４４に連通されている。
【００３４】
湯水混合室４４内には、形状記憶合金よりなるコイルばね状の感温ばね４６が配設されている。感温ばね４６は、弁体４２の端面と第１弁胴３２の端部との間に介装され、弁体４２を湯側弁座４１に当接させる向きに付勢している。
【００３５】
一方、前記筒状部材４０の内側には、コイルばね状の第１バイアスばね４７と、同じコイル状であるとともに第１バイアスばね４７の内側に配置される第２バイアスばね４８とが配設されている。両バイアスばね４７，４８は、弁体４２における湯側弁座４１側の端面に対して受け板４９を介して接合配置されている。第１バイアスばね４７の内径及び長さは、第２バイアスばね４８の内径及び長さよりもそれぞれ大きくされている。この実施形態では、第１バイアスばね４７及び第２バイアスばね４８がバイアスばねを構成する。
【００３６】
前記第２弁胴３３の内部には、両バイアスばね４７，４８を介して弁体を変位させることにより吐水温度を調節設定する吐水温度設定手段としての吐水温度設定機構５０が設けられている。吐水温度設定機構５０は、第２弁胴３３の内部に支持されるとともに締め付けナット３４を挿通して第２弁胴３３の端部開口から水栓本体１４の左外方に延出された操作スピンドル５１と、第２弁胴３３の内部において操作スピンドル５１の端部に螺合された送り部材５２とを備えている。操作スピンドル５１は第２弁胴３３に対して軸線方向に移動不能、かつ、相対回動可能に支持され、水栓本体１４の外側におけるその端部には前記温度調節ハンドル１６（図２及び図３に図示）が取着されている。送り部材５２は、第２弁胴３３の内部において回動不能に保持され、操作スピンドル５１の回動に伴って第２弁胴３３内をその軸線方向に変位する。従って、温度調節弁ユニット１９においては、温度調節ハンドル１６に対する回動操作に基づき、第１弁胴３２及び第２弁胴３３に対して送り部材５２がその軸線方向に変位する。
【００３７】
送り部材５２における弁体４２側の端縁には、前記両バイアスばね４７，４８の端縁と接離可能なばね押し部材５３が嵌着されている。ばね押し部材５３における弁体４２側の端部には、円筒状の位置決め壁部５３ａが設けられ、この位置決め壁部５３ａの内周側には、第１バイアスばね４７における弁体４２側と反対側の端部が挿入されている。また、送り部材５２における弁体４２側の端面中央には、ほぼ円錐状の保持部５３ｂが突出形成され、この保持部５３ｂは、第２バイアスばね４８における弁体４２側と反対側の端部に挿入されている。
【００３８】
前記第１バイアスばね４７における弁体４２側の端部は、前記筒状部材４０の内周面により保持されている。また、前記第２バイアスばね４８における弁体４２側の端部は、弁体４２における筒状部材４０側の端面中央に突出形成された位置決め軸部４２ａの外周面により保持されている。従って、両バイアスばね４７，４８は、両弁胴３２，３３の軸線上において並列に位置決めされている。
【００３９】
前記水栓本体１４の下部には、前記混合流路３７が連通する図示しない前記吐水切替部が設けられている。吐水切替部は周知の構成を備え、前記切替ハンドル１７への切替操作に基づき、混合流路３７から供給される湯水の供給先をスパウト１２側とシャワーヘッド１３側とで切り替える。
【００４０】
次に、前記のように構成された混合栓１０の作用を説明する。
まず、流量調節ハンドル１５の操作に基づく流量調節ユニット１８の動作について説明する。
【００４１】
スパウト１２及びシャワーヘッド１３から湯水を吐水させないときには、流量調節ハンドル１５が所定の止水位置とされる。すると、図７に示すように、流量調節ユニット１８において、第１ケース体２４の第１開口２４ａと弁筒部２７の水入口２７ａとの連通が遮断されるとともに、同じく第３開口２４ｃと湯入口２７ｃとの連通が遮断される。このため、１次側水路２０と２次側水路２２との連通と、１次側湯路２１と２次側湯路２３との連通とが共に遮断され、温度調節弁ユニット１９への水及び湯の供給が止められる。従って、温度調節弁ユニット１９に供給される前の水及び湯が、流量調節ユニット１８によりそれぞれ別々に止水されるので、仮に温度調節弁ユニット１９において混合された湯水を止水するようにした場合とは異なり、止水状態において給水管と給湯管とが混合栓１０を介して接続された状態とはならない。このため、止水状態において、湯よりも圧力の高い水が給水管から混合栓１０及び給湯管を介して給湯機側に逆流することがなく、給湯機に異常な水圧が加わることがない。
【００４２】
また、スパウト１２又はシャワーヘッド１３から湯水を最大流量で吐水させるときには、流量調節ハンドル１５が最大吐水に対応した所定位置とされる。すると、図８に示すように、流量調節ユニット１８において、第１ケース体２４の第１開口２４ａと弁筒部２７の水入口２７ａとが最大流路断面積で連通されるとともに、同じく第３開口２４ｃと湯入口２７ｃとが最大流路断面積で連通される。このため、１次側水路２０と２次側水路２２と、１次側湯路２１と２次側湯路２３とがそれぞれ最大の流路断面積で連通され、流量調節ユニット１８から温度調節弁ユニット１９へ水及び湯がそれぞれ最大流量で供給される。
【００４３】
さらに、スパウト１２又はシャワーヘッド１３から湯水を最大流量よりも少ない所定流量で吐水させるときには、流量調節ハンドル１５が所定流量に対応した所定位置とされる。すると、流量調節ユニット１８において、第１ケース体２４の第１開口２４ａと弁筒部２７の水入口２７ａとが所定の流路断面積で連通されるとともに、同じく第３開口２４ｃと湯入口２７ｃとが所定の流路断面積で連通される。このため、１次側水路２０と２次側水路２２と、１次側湯路２１と２次側湯路２３とがそれぞれ所定の流路断面積で連通され、流量調節ユニット１８から温度調節弁ユニット１９へ水及び湯がそれぞれ所定流量で供給される。
【００４４】
（温度調節）
次に、温度調節ハンドル１６の操作に基づく温度調節弁ユニット１９の動作について説明する。
【００４５】
図９は、温度調節ハンドル１６が、例えば３０℃よりも低い低温域に回転調節された状態を示す。この状態では、吐水温度設定機構５０において、送り部材５２によりばね押し部材５３が弁体４２から離れた位置に配置され、ばね押し部材５３における弁体４２側の端面が第１バイアスばね４７の縁端から離間した状態となる。このとき、弁体４２は、感温ばね４６の付勢力によりばね押し部材５３側に移動され、水側弁座３９から離間するとともに湯側弁座４１に当接した位置に配置される。このため、湯水混合室４４には、水側ポート３５のみを通じて２次側水路２２が連通された状態となる。また、この状態では、両バイアスばね４７，４８は、非蓄力状態となっており、弁体４２に対して付勢力を及ぼさない。従って、この低温域においては、温度調節ハンドル１６の調節位置に関係なく、スパウト１２又はシャワーヘッド１３から水のみが吐水される。
【００４６】
図１０は、温度調節ハンドル１６が、例えば３０〜５０℃の中温域に回転調節された状態を示す。この状態では、吐水温度設定機構５０において、送り部材５２によりばね押し部材５３が弁体４２側に近づいた位置に配置され、ばね押し部材５３における弁体４２側の端面が第１バイアスばね４７の縁端に当接するとともに第２バイアスばね４８の縁端には当接しない状態となる。このとき、弁体４２は、感温ばね４６の付勢力と、第１バイアスばね４７の付勢力との均衡により、水側弁座３９及び湯側弁座４１から共に離間した位置に保持される。また、この状態において、第２バイアスばね４８は、非蓄力状態となっており、弁体４２に対して付勢力を及ぼさない。このため、湯水混合室４４には、水側ポート３５を介して２次側水路２２が連通されるとともに、湯側ポート３６を介して２次側湯路２３が連通される。そして、２次側水路２２から供給される水と、２次側湯路２３から供給される湯とが、湯水混合室４４において混合される。このため、感温ばね４６は、湯水混合室４４内で混合された湯水の温度に応じてばね定数を変化させる。すると、弁体４２は、湯水混合室４４内の湯水の温度に対応した感温ばね４６の付勢力と、第１バイアスばね４７の付勢力とが均衡する位置に配置される。従って、中温域においては、温度調節ハンドル１６の調節位置に対応した温度の湯水がスパウト１２又はシャワーヘッド１３から吐水される。
【００４７】
また、この中温域において温度調節ハンドル１６をより高温側に回転調節すると、吐水温度設定機構５０の送り部材５２によりばね押し部材５３がより弁体４２側に近づいた位置に配置される。このため、第１バイアスばね４７から弁体４２に加わる付勢力が増大し、弁体４２がより水側弁座３９に近づいた位置に配置される。この結果、水側ポート３５から湯水混合室４４にいたる流路の断面積が小さくなるとともに湯側ポート３６から湯水混合室４４に至る流路の断面積が大きくなる。このため、湯水混合室４４に供給される水の流量が減少するとともに湯の流量が増大し、スパウト１２又はシャワーヘッド１３から吐水される湯水の温度が上昇する。従って、この中温域においては、温度調節ハンドル１６の回動操作角度の変化量に対する弁体４２の変位量が小さいので、温度調節ハンドル１６の回動操作角度の変化量に対する湯水の温度変化が小さくなる。このため、通常ユーザにより頻繁に使用される中温域において、スパウト１２又はシャワーヘッド１３から吐水させる湯水の温度をユーザが微細に調節することができる。
【００４８】
この中温域での吐水中において、例えば混合栓１０とは別の水栓により湯が使用されると、給湯管から１次側湯路２１に供給される湯の流量が減少する。このため、２次側湯路２３から湯水混合室４４に供給される湯の流量が減少し、湯水混合室４４内の湯水の温度が低下する。すると、感温ばね４６のばね定数が低下して感温ばね４６から弁体４２に加わる付勢力が減少し、弁体４２が水側弁座３９側に変位する。このため、２次側水路２２から湯水混合室４４に供給される水の流量が減少するとともに２次側湯路２３から湯水混合室４４に供給される湯の流量が増大し、湯水混合室４４において生成される湯水の温度の下降が抑制される。従って、吐水中に別の水栓により湯が使用されても、ワックスサーモ弁に比較して応答性の高い感温ばね４６の作動により、スパウト１２又はシャワーヘッド１３から吐水される湯水の温度が設定温度から下降しにくい。
【００４９】
また、別の水栓での湯の使用が止まると、給湯管から１次側湯路に供給される湯の流量が増大する。このため、２次側湯路から湯水混合室４４に供給される湯の流量が増大し、湯水混合室４４内の湯水の温度が上昇する。すると、感温ばね４６のばね定数が上昇して感温ばね４６から弁体４２に加わる付勢力が増大し、弁体４２が湯側弁座４１側に変位する。このため、２次側水路２２から湯水混合室４４に供給される水の流量が増大するとともに２次側湯路２３から湯水混合室４４に供給される湯の流量が減少し、湯水混合室４４において生成される湯水の温度の上昇が抑制される。従って、吐水中に別の水栓での湯の使用が止まっても、スパウト１２又はシャワーヘッド１３から吐水される湯水の温度が設定温度から上昇しにくい。
【００５０】
さらに、図１１は、温度調節ハンドル１６が、例えば５０℃を超える高温域に回転調節された状態を示す。この状態では、吐水温度設定機構５０において、送り部材５２によりばね押し部材５３が弁体４２側にさらに近づいた位置に配置され、ばね押し部材５３における弁体４２側の端面が第１バイアスばね４７の縁端に加えて第２バイアスばね４８の縁端にも当接する状態となる。このとき、弁体４２は、感温ばね４６の付勢力と、第１バイアスばね４７及び第２バイアスばね４８の付勢力との均衡により、水側弁座３９及び湯側弁座４１から共に離間した位置に保持される。このため、湯水混合室４４には、水側ポート３５を介して２次側水路２２が連通されるとともに、湯側ポート３６を介して２次側湯路２３が連通される。そして、水側ポート３５から導入される水と、湯側ポート３６から導入される湯とが、湯水混合室４４において混合される。このため、感温ばね４６は、湯水混合室４４内で混合された湯水の温度に応じてばね定数を変化させる。すると、弁体４２は、湯水の温度に対応した感温ばね４６の付勢力と、第１バイアスばね４７及び第２バイアスばね４８の付勢力とが均衡する位置に配置される。従って、この高温域においても中温域と同様に、温度調節ハンドル１６の調節位置に応じた温度の湯水がスパウト１２又はシャワーヘッド１３から吐水される。また、この高温域においては、温度調節ハンドル１６の回動操作角度の変化量に対する弁体４２の変位量が中温域よりも大きくなるので、温度調節ハンドル１６の回動操作角度の変化量に対する湯水の温度変化が中温域よりも大きくなる。
【００５１】
次に、流量調節ハンドル１５の操作に応じた感温ばね４６の動作について説明する。
温度調節弁ユニット１９が、上記中温域又は高温域に設定されている状態において、流量調節ハンドル１５を止水位置から吐水位置に切り替えると、流量調節ユニット１８から２次側水路２２及び２次側湯路２３を介して温度調節弁ユニット１９に水及び湯が供給される。そして、温度調節弁ユニット１９に供給された水と湯は、湯水混合室４４で混合される。このとき、感温ばね４６は、湯水混合室４４で生成された湯水の温度に対応して伸縮し、弁体４２を変位させる。
【００５２】
また、吐水中に、温度調節ハンドル１６が回動操作されて設定温度が変更されたり、給湯管から１次側湯路２１に供給される湯の流量が変化したりしたりすると、湯水混合室４４で生成される湯水の温度が変化する。このとき、感温ばね４６は、湯水混合室４４内における湯水の新たな温度に対応して伸縮し、弁体４２を変位させる。さらに、流量調節ハンドル１５が吐水位置から止水位置に切り替えられると、流量調節ユニット１８から温度調節弁ユニット１９への湯及び水の供給が止まる。このとき、感温ばね４６は、湯水混合室４４内の残った湯水の緩やかな温度変化に対応して伸縮し、弁体４２を変位させる。
【００５３】
従って、この実施形態における温度調節弁ユニット１９の感温ばね４６は、前記特許文献１に記載された混合栓とは異なり、吐水時及び止水時に外部からの力により強制的に伸縮させられることがない。このため、感温ばね４６の温度特性が早期に劣化することがないので、混合栓１０の温度調節機能が損なわれることがない。
【００５４】
（第２実施形態）
次に、この発明を具体化した第２実施形態を図１２〜図２０に従って説明する。なお、この実施形態は、前記第１実施形態における流量調節ユニット１８及び吐水切替部（図示せず）を、流量調節・吐水切替ユニット６３に、流量調節ハンドル１５を流量調節・吐水切替ハンドル６２にそれぞれ置き換えたことのみが異なるので、流量調節・吐水切替ユニット６３を中心に説明する。
【００５５】
図１２、図１３及び図１４に示すように、この実施形態の自動温度調節式湯水混合栓（以下、単に混合栓という）６０は、横長の水栓本体６１の長手方向右端に、流量調節ハンドルとしての流量調節・吐水切替ハンドル６２を備え、同じく左端に前記温度調節ハンドル１６を備えている。流量調節・吐水切替ハンドル６２及び温度調節ハンドル１６の各回動軸線は、同一軸線上に配置されている。この混合栓６０は、前記第１実施形態の混合栓１０とは異なり、切替ハンドル１７を備えていない。
【００５６】
図１３及び図１４に示すように、水栓本体６１の内部における右部分には、前記流量調節・吐水切替ハンドル６２への操作に基づき、スパウト１２又はシャワーヘッド１３から吐水する湯水の流量調節と、湯水の供給及び供給停止とを行う流量調節手段としての流量調節・吐水切替ユニット６３が設けられている。また、この流量調節・吐水切替ユニット６３は、流量調節・吐水切替ハンドル６２への操作に基づき、湯水を吐水させる側をスパウト１２とシャワーヘッド１３とのいずれかに切り替えるようになっている。流量調節・吐水切替ユニット６３は、前記第１実施形態の流量調節ユニット１８と同様に、水栓本体６１の内部においてその軸線方向に延びるとともにその右端に開口する円柱状の孔部内に装着されている。なお、水栓本体６１の内部における左部分には、第１実施形態と同様の温度調節弁ユニット１９が設けられている。
【００５７】
また、図１３及び図１４に示すように、水栓本体６１の内部には、水側クランク管１１Ｒから延びる１次側水路６４と、湯側クランク管１１Ｌから延びる湯路６５とが設けられている。また、水栓本体６１の内部には、流量調節・吐水切替ユニット６３側から温度調節弁ユニット１９側に延びる２次側水路６６が設けられている。さらに、水栓本体６１の内部には、前記スパウト１２に連通するスパウト側流路６７、及び、前記シャワーヘッド１３に連通するシャワー側流路６８が設けられている。
【００５８】
次に、前記流量調節・吐水切替ユニット６３について説明する。
図１５及び図１６に示すように、流量調節・吐水切替ユニット６３は、略円筒状の第１ケース体７０、この第１ケース体７０の端部に螺合により結合される略円筒状の第２ケース体７１、及び、結合された第１ケース体７０及び第２ケース体７１内に回動可能な状態で保持される栓棒７２を備えている。栓棒７２は、第１ケース体７０の内側に配置される略円筒状の弁筒部７３と、この弁筒部７３の一端を閉塞する状態で弁筒部７３に一体化されるとともに第２ケース体７１に挿通される軸部７４とを備えている。流量調節・吐水切替ユニット６３は、水栓本体６１の孔部の開口部内周縁に螺合する締め付けナット７５により、水栓本体６１の孔部内において軸線方向及び回動方向に固定されている。軸部７４は、締め付けナット７５を挿通して水栓本体６１の右端から外部に延出され、その端部には前記流量調節・吐水切替ハンドル６２が取着されている。従って、流量調節・吐水切替ユニット６３においては、流量調節・吐水切替ハンドル６２に対する回動操作に基づき、第１ケース体７０及び第２ケース体７１に対して栓棒７２が相対回動する。
【００５９】
図１６及び図１７に示すように、第１ケース体７０の周壁には、前記１次側水路６４に連通可能にした第１開口７０ａ、前記２次側水路６６に連通可能にした第２開口７０ｂ、前記シャワー側流路６８に連通可能にした第３開口７０ｃ、及び、前記スパウト側流路６７に連通可能にした第４開口７０ｄがそれぞれ設けられている。
【００６０】
図１５、図１６及び図１７に示すように、栓棒７２における弁筒部７３の内部は、その軸線方向において区画され、その軸部７４側の領域における弁筒部７３の周壁には、第１ケース体７０の第１開口７０ａに連通可能にした一対の水入口７３ａと、同じく第２開口７０ｂに連通可能にした一対の水出口７３ｂとが設けられている。また、軸部７４とは反対側の領域における弁筒部７３の周壁には、第３開口７０ｃに連通可能にしたシャワー側開口７３ｃと、第４開口７０ｄに連通可能にしたスパウト側開口７３ｄとが設けられている。また、弁筒部７３の内部における軸部７４と反対側の領域は、弁筒部７３の端部に開口された混合水入口７３ｅを通じて、前記温度調節弁ユニット１９の吐水口３８に常時連通する吐水切替室７６とされている。
【００６１】
図１５、図１６及び図１７に示すように、第１ケース体７０の第１開口７０ａと栓棒７２（弁筒部７３）の両水入口７３ａとは、第１ケース体７０の内周面と栓棒７２の外周面との間に設けられた水側パッキン７７により水密状態で連通されている。また、第１ケース体７０の第３開口７０ｃと栓棒７２のシャワー側開口７３ｃ、及び、第１ケース体７０の第４開口７０ｄと栓棒７２のスパウト側開口７３ｄは、第１ケース体７０の内周面と栓棒７２の外周面との間に設けられた湯側パッキン７８によりそれぞれ水密状態で連通されている。
【００６２】
そして、図１８に示すように、流量調節・吐水切替ハンドル６２の回動操作により、両ケース体７０，７１に対する栓棒７２の回動方向における位置が調節され、第１ケース体７０の第１開口７０ａと栓棒７２の両水入口７３ａとの連通が遮断される。このとき、第１ケース体７０の第３開口７０ｃと栓棒７２のシャワー側開口７３ｃとの連通、及び、第１ケース体７０の第４開口７０ｄと栓棒７２のスパウト側開口７３ｄとの連通が共に遮断される。従って、１次側水路６４と２次側水路６６との連通が遮断されるときには、温度調節弁ユニット１９の吐水口３８と、シャワー側流路６８及びスパウト側流路６７との連通が遮断される。
【００６３】
また、図１９に示すように、流量調節・吐水切替ハンドル６２の回動操作により、両ケース体７０，７１に対する栓棒７２の回動方向における位置が調節され、第１ケース体７０の第１開口７０ａと弁筒部７３の両水入口７３ａの一方とが連通される。このとき、第１ケース体７０の第３開口７０ｃと栓棒７２のシャワー側開口７３ｃとが連通され、第１ケース体７０の第４開口７０ｄと栓棒７２のスパウト側開口７３ｄとの連通が遮断される。従って、１次側水路６４と２次側水路６６とが連通されるとともに温度調節弁ユニット１９の吐水口３８とシャワー側流路６８とが連通されたときには、同吐水口３８とスパウト側流路６７との連通が遮断される。
【００６４】
さらに、図２０に示すように、流量調節・吐水切替ハンドル６２の回動操作により、両ケース体７０，７１に対する栓棒７２の回動方向における位置が調節され、第１ケース体７０の第１開口７０ａと弁筒部７３の両水入口７３ａの他方とが連通される。このとき、第１ケース体７０の第３開口７０ｃと栓棒７２のシャワー側開口７３ｃとの連通が遮断され、第１ケース体７０の第４開口７０ｄと栓棒のスパウト側開口７３ｄとが連通される。従って、１次側水路６４と２次側水路６６とが連通されるとともに温度調節弁ユニット１９の吐水口３８とスパウト側流路６７とが連通されたときには、同吐水口３８とシャワー側流路６８との連通が遮断される。
【００６５】
また、流量調節・吐水切替ハンドル６２が回動操作され、両ケース体７０，７１に対する栓棒７２の回動方向における位置が調節されることにより、１次側水路６４と２次側水路６６とを連通する流路の断面積が調節される。このとき、１次側水路６４と２次側水路６６とを連通する流路の断面積とともに、温度調節弁ユニット１９の吐水口３８とスパウト側流路６７（又はシャワー側流路６８）とを連通する流路の断面積が同時に調節される。
【００６６】
この実施形態の温度調節弁ユニット１９は、前記第１実施形態の温度調節弁ユニット１９と同一の構成であるが、その湯側ポート３６には前記湯路６５が直接連通されている。従って、温度調節弁ユニット１９は、流量調節・吐水切替ユニット６３から供給される水と、湯路６５から供給される湯とを混合させて湯水を生成し、流量調節・吐水切替ユニット６３の吐水切替室７６に供給する。
【００６７】
次に、以上のように構成された混合栓６０の動作を説明する。
（止水・吐水の切替）
スパウト１２又はシャワーヘッド１３から湯水を吐水させないときには、流量調節・吐水切替ハンドル６２が所定の止水位置とされる。すると、図１８に示すように、流量調節・吐水切替ユニット６３において、第１ケース体７０の第１開口７０ａと弁筒部７３の水入口７３ａとの連通が遮断されるとともに、第３開口７０ｃとシャワー側開口７３ｃとの連通、及び、第４開口７０ｄとスパウト側開口７３ｄとの連通が共に遮断される。このため、１次側水路６４と２次側水路６６との連通が遮断され、流量調節・吐水切替ユニット６３から温度調節弁ユニット１９への水の供給が止められる。また、温度調節弁ユニット１９から吐水切替室７６へ供給される湯水の、シャワーヘッド１３及びスパウト１２への供給が止められる。
【００６８】
従って、止水時には、流量調節・吐水切替ユニット６３により、１次側水路６４から２次側水路６６への水の供給が止められるとともに、湯路６５から温度調節弁ユニット１９及び流量調節・吐水切替ユニット６３を介してのスパウト側流路６７又はシャワー側流路６８への湯の供給が止められる。このため、第１実施形態と同様に、止水状態で１次側水路６４と湯路６５とが接続された状態とはならないので、止水状態において、湯よりも圧力の高い水が給水管から混合栓６０及び給湯管を介して給湯機側に逆流することがない。
【００６９】
（シャワーヘッド１３からの吐水時）
また、シャワーヘッド１３から湯水を吐水させるときには、流量調節・吐水切替ハンドル６２が止水位置からシャワー位置に切り替えられる。すると、図１６に示すように、流量調節・吐水切替ユニット６３において、１次側水路６４と２次側水路６６とが連通されるとともに、吐水切替室７６とシャワー側流路６８とが連通される。このため、流量調節・吐水切替ハンドル６２の調節位置に基づき、温度調節弁ユニット１９において調節された温度の湯水がシャワーヘッド１３から吐水される。
【００７０】
（スパウト１２からの吐水時）
また、スパウト１２から湯水を吐水させるときには、流量調節・吐水切替ハンドル６２が止水位置からスパウト１２位置に切り替えられる。すると、流量調節・吐水切替ユニット６３において、１次側水路６４と２次側水路６６とが連通されるとともに、吐水切替室７６とスパウト側流路６７とが連通される。このため、流量調節・吐水切替ハンドル６２の調節位置に基づき、温度調節弁ユニット１９において調節された温度の湯水がスパウト１２から吐水される。
【００７１】
以上詳述したこの実施形態においても、混合栓６０から吐水中に別の混合栓で湯が使用されたり、又は、同混合栓６０での湯の使用が止められたりしたときに、湯水混合室４４内の湯水の温度変化に基づく感温ばね４６の作動により、スパウト１２又はシャワーヘッド１３から吐水される湯水の温度の設定温度からの変動が抑制される。従って、前記第１実施形態の混合栓１０と同様、感温ばね４６の代わりにワックスサーモ弁を用いた特許文献１に記載の混合栓に比較して、スパウト１２又はシャワーヘッド１３から吐水される湯水の温度が設定温度から変動しにくい。
【００７２】
（変形例）
なお、この実施形態は、次のように変更して具体化することも可能である。
・  第１又は第２実施形態において、温度調節弁ユニット１９における第２バイアスばね４８を廃止して、第１バイアスばね４７のみとする。
【００７３】
・  第１実施形態において、温度調節弁ユニット１９において、水側ポート３５及び湯側ポート３６の位置を、２次側水路２２及び２次側湯路２３の位置とともに入れ替える。また、感温ばね４６と、第１バイアスばね４７及び第２バイアスばね４８との位置を入れ替え、吐水温度設定機構５０により感温ばね４６の位置を調節する構成とする。また、第２実施形態において同様の構成とする。
【図面の簡単な説明】
【００７４】
【図１】浴室に設置された第１実施形態の混合栓を示す斜視図。
【図２】混合栓を示す縦断面図。
【図３】混合栓を示す横断面図。
【図４】流量調節ユニットを示す横断面図。
【図５】流量調節ユニットを示す縦断面図。
【図６】流量調節ユニットを示す分解斜視図。
【図７】止水時の流量調節ユニットを示す横断面図。
【図８】最大吐水時の流量調節ユニットを示す横断面図。
【図９】低温域に設定された温度調節弁ユニットを示す縦断面図。
【図１０】中温域に設定された温度調節弁ユニットを示す縦断面図。
【図１１】高温域に設定された温度調節弁ユニットを示す縦断面図。
【図１２】浴室に設置された第２実施形態の混合栓を示す斜視図。
【図１３】混合栓を示す縦断面図。
【図１４】混合栓を示す横断面図。
【図１５】流量調節・吐水切替ユニットを示す縦断面図。
【図１６】流量調節・吐水切替ユニットを示す横断面図。
【図１７】流量調節・吐水切替ユニットを示す分解斜視図。
【図１８】止水時の流量調節・吐水切替ユニットを示す横断面図。
【図１９】シャワー吐水時の流量調節・吐水切替ユニットを示す横断面図。
【図２０】スパウト吐水時の流量調節・吐水切替ユニットを示す横断面図。
【図２１】従来の混合栓を示す縦断面図。
【符号の説明】
【００７５】
１０…自動温度調節式の湯水混合栓、１１Ｌ…湯側クランク管、１１Ｒ…水側クランク管、１２…スパウト、１３…シャワーヘッド、１４…水栓本体、１５…流量調節ハンドル、１６…温度調節ハンドル、１８…流量調節手段としての流量調節ユニット、１９…温度調節手段としての温度調節弁ユニット、２０…１次側水路、２１…１次側湯路、２２…２次側水路、２４…外側ケース体としての第１ケース体、２４ａ…第１開口、２４ｂ…第２開口、２４ｃ…第３開口、２７…内側ケース体としての弁筒部、２７ａ…水入口、２７ｂ…水出口、２７ｃ…湯入口、２７ｄ…湯出口、３２…弁胴を構成する第１弁胴、３３…同じく第２弁胴、３９…水側弁座、４１…湯側弁座、４２…弁体、４６…感温ばね、４７…バイアスばねを構成する第１バイアスばね、４８…同じく第２バイアスばね、５０…吐水温度設定手段としての吐水温度設定機構、６１…水栓本体、６２…流量調節ハンドルとしての流量調節・吐水切替ハンドル、６３…流量調節手段としての流量調節・吐水切替ユニット、６４…１次側水路、６５…湯路、６６…２次側水路、７０ａ…第１開口、７０ｂ…第２開口、７０ｃ…第３開口、７３ａ…水入口、７３ｂ…水出口。
【図１】
2006329304.tif 000003
【図２】
2006329304.tif 000004
【図３】
2006329304.tif 000005
【図４】
2006329304.tif 000006
【図５】
2006329304.tif 000007
【図６】
2006329304.tif 000008
【図７】
2006329304.tif 000009
【図８】
2006329304.tif 000010
【図９】
2006329304.tif 000011
【図１０】
2006329304.tif 000012
【図１１】
2006329304.tif 000013
【図１２】
2006329304.tif 000014
【図１３】
2006329304.tif 000015
【図１４】
2006329304.tif 000016
【図１５】
2006329304.tif 000017
【図１６】
2006329304.tif 000018
【図１７】
2006329304.tif 000019
【図１８】
2006329304.tif 000020
【図１９】
2006329304.tif 000021
【図２０】
2006329304.tif 000022
【図２１】
2006329304.tif 000023